(57)【要約】【課題】  本発明は、上記の課題に鑑みてなされたものであり、その目的は、より安定的に光を伝送することである。【解決手段】  本発明の光伝送装置は、第１の入射面に入射した光を第１の出射面から出射する第１の導光部と、第１の出射面から出射された光を、第２の入射面で受光し第２の出射面から出射する第２の導光部と、第１の出射面及び第２の入射面が対向するように、第１の導光部及び第２の導光部を連結する連結部とを備え、連結部は、第１の出射面及び第２の入射面の間に間隙が設けられた状態で、第１の導光部及び第２の導光部の双方又は一方が移動できるように、第１の導光部及び第２の導光部を連結する。【選択図】      図１
2018054870.tif 000002
【特許請求の範囲】
【請求項１】
第１の入射面に入射した光を第１の出射面から出射する第１の導光部と、
前記第１の出射面から出射された光を、第２の入射面で受光し第２の出射面から出射する第２の導光部と、
前記第１の出射面及び前記第２の入射面が対向するように、前記第１の導光部及び前記第２の導光部を連結する連結部とを備え、
前記連結部は、前記第１の出射面及び前記第２の入射面の間に間隙が設けられた状態で、前記第１の導光部及び前記第２の導光部の双方又は一方が移動できるように、前記第１の導光部及び前記第２の導光部を連結する光伝送装置。
【請求項２】
前記第１の出射面及び前記第２の入射面の間に設けられ、前記第１の出射面から出射される光以外の光が前記第２の入射面に入射することを抑制する受光部側カバーを備え、
前記連結部は、前記受光部側カバーの前記第１の出射面側の端部及び前記第１の出射面の間に間隙が設けられた状態で、前記第１の導光部及び前記第２の導光部の双方又は一方が移動できるように、前記第１の導光部及び前記第２の導光部を連結する請求項１に記載の光伝送装置。
【請求項３】
複数の前記第１の導光部を取り付けられた発光部側基材部と、
複数の前記第２の導光部を取り付けられた受光部側基材部とを、さらに備え、
前記第１の出射面の各々と前記第２の入射面の各々とがそれぞれ互いに対向するように、前記発光部側基材部及び前記受光部側基材部を連結する基材連結部を、前記連結部に代えて備え、
前記基材連結部は、前記第１の出射面の各々と前記第２の入射面の各々との間に間隙がそれぞれ設けられた状態で、前記発光部側基材部及び前記受光部側基材部のいずれか一方又は両方が移動できるように、前記発光部側基材部及び前記受光部側基材部を連結する請求項１に記載の光伝送装置。
【請求項４】
複数の前記第１の出射面と複数の前記第２の入射面との間にそれぞれ設けられ、前記第２の入射面に、前記第２の入射面に対向する前記第１の出射面から出射される光以外の光が入射することを抑制する複数の受光部側カバーをさらに備え、
前記基材連結部は、複数の前記受光部側カバーの前記第１の出射面側の端部と前記第１の出射面との間に間隙が設けられた状態で、前記発光部側基材部及び前記受光部側基材部のいずれか一方又は両方が移動できるように、前記発光部側基材部及び前記受光部側基材部を連結する請求項３に記載の光伝送装置。
【請求項５】
前記第１の入射面に向けて光を出射する発光部と、
前記発光部から出射された光以外が前記第１の入射面に入射することを抑制する発光部側カバーと、を備える請求項１又は２に記載の光伝送装置。
【請求項６】
複数の前記第１の入射面の各々に対向し、複数の前記第１の入射面の各々に向けて光を出射する複数の発光部と、
前記第１の入射面に、前記第１の入射面に対向する前記発光部から出射される光以外の光が入射することを抑制する発光部側カバーと、を備える請求項３又は４に記載の光伝送装置。
【請求項７】
前記第１の導光部は前記第１の入射面から前記第１の出射面に向かうにつれて細くなり、
前記第２の導光部は前記第２の出射面から前記第２の入射面に向かうにつれて細くなる請求項３、４及び６のいずれか１項に記載の光伝送装置。
【請求項８】
前記間隙は所定範囲の長さに設定されている請求項１から７のいずれか１項に記載の光伝送装置。
【請求項９】
前記第１の入射面に向けて光を出射する発光部と、
前記第２の出射面から出射される光を受光する受光部と、
を備える請求項１から４、７、８のいずれか１項に記載の光伝送装置。
【発明の詳細な説明】
【技術分野】
【０００１】
本発明は、光伝送装置に関し、例えば、二つの導光部を備える伝送装置に関する。
【背景技術】
【０００２】
近年、サーバやルータなどの情報処理装置の多くには、装置内や基板内でのデータ伝送の高速化の要求に対応して、光を伝送する光伝送装置が搭載されている。例えば、特許文献１には、出射側光モジュール１０及び入射側光モジュール２０を含む光伝送システム１が開示されている。出射側光モジュール１０は、出射面１２２及びコネクタ部１２１を備える。入射側光モジュール２０は、コネクタ部２２１、集束レンズ部２２２及び光入射部材２１を備える。出射側光モジュール１０及び入射側光モジュール２０は、コネクタ部１２１及びコネクタ部２２１間の嵌合により接続される。出射側光モジュール１０及び入射側光モジュール２０が接続された状態において、出射面１２２から出射された光は、集束レンズ部２２２を介して光入射部材２１に入射する。出射面１２２から出射される光の焦点は、光入射部材２１の光入射面に合わせられている。なお、本発明に関連する技術が特許文献２にも記載されている。
【先行技術文献】
【特許文献】
【０００３】
【特許文献１】特開２０１４−１３７３８４号公報
【特許文献２】特開２００６−２１５２７３号公報
【発明の概要】
【発明が解決しようとする課題】
【０００４】
特許文献１に開示される技術では、コネクタ部１２１とコネクタ部２２１とを嵌合させることにより、出射側光モジュール１０及び入射側光モジュール２０が接続される。そのため、例えば光伝送システム１を含む装置におけるケーブルの挿抜によって、コネクタ部１２１及びコネクタ部２２１間の接続部に振動が発生する。このような場合、振動によって、コネクタ部１２１及びコネクタ部２２１間の接続部に負荷が加わる。この負荷によってコネクタ部１２１又はコネクタ部２２１が破損したり、出射側光モジュール１０及び入射側光モジュール２０間の接続が外れたりすることがあった。この場合、出射面１２２から出射された光の焦点は、光入射部材２１の光入射面からずれてしまう。
【０００５】
この結果、例えば出射面１２２から出射された光が光入射部材２１の光入射面に正しく収束せず、コネクタ部１２１側からコネクタ部２２１側への光の伝送が不安定になる場合があった。また、例えば出射面１２２から光入射部材２１の光入射面までの光路長が大きく変動することにより、光入射部材２１に入射する光の強度も変動し、コネクタ部１２１側からコネクタ部２２１側への光の伝送が不安定になる場合があった。
【０００６】
本発明は、上記の課題に鑑みてなされたものであり、その目的は、より安定的に光を伝送できる光伝送装置を提供することである。
【課題を解決するための手段】
【０００７】
本発明の光伝送装置は、第１の入射面に入射した光を第１の出射面から出射する第１の導光部と、前記第１の出射面から出射された光を、第２の入射面で受光し第２の出射面から出射する第２の導光部と、前記第１の出射面及び前記第２の入射面が対向するように、前記第１の導光部及び前記第２の導光部を連結する連結部とを備え、前記連結部は、前記第１の出射面及び前記第２の入射面の間に間隙が設けられた状態で、前記第１の導光部及び前記第２の導光部の双方又は一方が移動できるように、前記第１の導光部及び前記第２の導光部を連結する。
【発明の効果】
【０００８】
本発明の光伝送装置によれば、より安定的に光を伝送できる。
【図面の簡単な説明】
【０００９】
【図１】第１の実施形態における光伝送装置の構成を示す斜視図である。
【図２】第１の実施形態における光伝送装置の構成を示す上面図である。
【図３】発光部側部材の構成を示す拡大斜視図である。
【図４】受光部側部材の構成を示す拡大斜視図である。
【図５】連結部の構成を示す拡大斜視図である。
【図６】連結部の機能を説明するための図である。
【図７】間隙を説明するための図である。
【図８】間隙を説明するための図である。
【図９】連結部の機能を説明するための図である。
【図１０】第１の実施形態における光伝送装置の動作を説明するための図である。
【図１１】実装された第１の実施形態における光伝送装置を示す上面図である。
【図１２】実装された第１の実施形態における光伝送装置を示す断面図である。
【図１３】実装された第１の実施形態における光伝送装置を示す断面図である。
【図１４】第１の実施形態における光伝送装置の変形例を示す図である。
【図１５】発光部側部材の構成を示す斜視図である。
【図１６】受光部側部材の構成を示す斜視図である。
【図１７】第２の実施形態における光伝送装置の構成を示す斜視図である。
【図１８】第２の実施形態における光伝送装置の構成を示す上面図である。
【図１９】発光部側部材の構成を示す拡大斜視図である。
【図２０】受光部側部材の構成を示す拡大斜視図である。
【図２１】間隙を説明するための図である。
【図２２】第２の実施形態における光伝送装置の動作を説明するための図である。
【図２３】第３の実施形態における光伝送装置の構成を示す斜視図である。
【図２４】第３の実施形態における光伝送装置の構成を示す上面図である。
【図２５】第３の実施形態における光伝送装置の構成を示す上面図である。
【発明を実施するための形態】
【００１０】
（第１の実施形態）
第１の実施の形態における光伝送装置１００の構成について、図１〜１３に基づき説明する。図１は、光伝送装置１００の構成を示す斜視図である。図２は、光伝送装置１００の構成を示す上面図である。図１及び図２に示されるように、光伝送装置１００は、発光部側部材２００、受光部側部材３００、発光部側基材部４００、受光部側基材部５００、及び連結部６００ａ、６００ｂを備えている。また、発光部側部材２００及び受光部側部材３００間には、間隙７００が形成されている。また、図１及び図２には、発光部側部材２００の光軸ＯＡ（Ｏｐｔｉｃａｌ  Ａｘｉｓ）１及び受光部側部材３００の光軸ＯＡ２が示されている。
【００１１】
発光部側部材２００について説明する。図３は、発光部側部材２００の拡大斜視図である。図３には、発光部側部材２００の光軸ＯＡ１が示されている。図１〜３に示されるように、発光部側部材２００は、第１の導光部２１０、発光部側カバー２２０及び発光部２３０を備える。図１、図２及び図３に示されるように、第１の導光部２１０及び発光部２３０の光軸（中心線）は、光軸ＯＡ１に重なるよう設けられている。
【００１２】
図３に示されるように、第１の導光部２１０は、円柱状に形成されている。また、第１の導光部２１０は、第１の入射面２１１及び第１の出射面２１２を有する。第１の入射面２１１は、第１の導光部２１０の発光部２３０側の一端に形成されている。また、第１の出射面２１２は、第１の導光部２１０の受光部側部材３００側の一端に形成されている。第１の入射面２１１及び第１の出射面２１２は、互いに平行になるように形成されている。
【００１３】
第１の導光部２１０は、大気の屈折率より大きな屈折率を持つ透過部材で構成される。すなわち、第１の導光部２１０は、例えば石英ガラスなどの光学ガラスにより構成される。また、第１の導光部２１０は、ＰＭＭＡ（Ｐｏｌｙｍｅｔｈｙｌ  ｍｅｔｈａｃｒｙｌａｔｅ）等の樹脂材料により構成されてもよい。
【００１４】
第１の入射面２１１には、対向する発光部２３０から出射された光が入射する。第１の出射面２１２からは、第１の入射面２１１に入射した光が出射する。すなわち、第１の導光部２１０は、第１の入射面２１１に入射した光を第１の出射面２１２から出射する。具体的には、第１の入射面２１１に入射した光は、第１の導光部２１０の曲面状の側面と大気との境界面において全反射を繰り返した後、第１の出射面２１２から出射される。そのため、第１の入射面２１１に入射した光は、埃などの空気中の物質によって散乱することなく第１の出射面２１２から出射される。すなわち、第１の導光部２１０を設けることによって、光を効率よく伝送することができる。
【００１５】
図３に示されるように、発光部側カバー２２０は、第１の開口面２２１及び第２の開口面２２２を備える。また、発光部側カバー２２０は、例えばＰＥＴ（Ｐｏｌｙｅｔｈｙｌｅｎｅ  ｔｅｒｅｐｈｔｈａｌａｔｅ）シートにより形成される。この場合、発光部側カバー２２０の外面は、光を反射する反射面とする。例えば、発光部側カバー２２０の外面は、光反射剤によってコーティングされている。また、発光部側カバー２２０の内面は、光を吸収する面とする。
【００１６】
図１、２に示されるように発光部側カバー２２０は、第１の導光部２１０の第１の入射面２１１側に設けられる。すなわち、発光部側カバー２２０は、第１の導光部２１０及び発光部２３０の間に設けられる。図１及び図２に示されるように、発光部側カバー２２０は第１の開口面２２１及び第２の開口面２２２の中心を、光軸ＯＡ１が通るように設けられる。第１の開口面２２１は、発光部側カバー２２０の発光部２３０側に設けられる。第２の開口面２２２は、発光部側カバー２２０の第１の導光部２１０側に設けられる。
【００１７】
第１の開口面２２１は、第２の開口面２２２よりも面積が大きくなるように形成されている。すなわち、図３に示されるように、光軸ＯＡ１に対して垂直方向にて発光部側カバー２２０を切断した際の発光部側カバー２２０の切断面において、発光部側カバー２２０の内側の側面で囲まれた面の面積は、第１の開口面２２１側から第２の開口面２２２側に向かうにつれて小さくなるように設定されている。発光部側カバー２２０では、第２の開口面２２２から第１の開口面２２１までが貫通されている。この貫通された部分には、発光部２３０からの光が伝送する光路、すなわち導光路が形成される。
【００１８】
このように発光部側カバー２２０を構成することにより、発光部２３０から出射された散乱光が発光部側部材２００の周囲に漏れることを効率よく抑制できる。仮に、発光部側カバー２２０が、第１の導光部２１０側から発光部２３０に向けて閉じるように配置されている場合は、上記の場合と比較して、発光部２３０から放射状に出射された散乱光は発光部側部材２００の周囲に漏れやすくなるため好ましくない。
【００１９】
また、図３に示されるように、第２の開口面２２２と第１の入射面２１１は、接している。一方で、第２の開口面２２２と第１の入射面２１１は離間して配置されていても良い。さらに、第１の入射面２１１は、第１の開口面２２１及び第２の開口面２２２間に設けられていても良い。
【００２０】
なお、発光部側カバー２２０は、大気の屈折率より大きな屈折率を持つ透過材で構成されてもよい。発光部側カバー２２０は、例えば石英ガラスなどの光学ガラスにより構成される。また、発光部側カバー２２０は、ＰＭＭＡ等の樹脂材料により構成されてもよい。この場合、発光部側カバー２２０の外面は少なくとも光を反射する光反射面とする。また、発光部側カバー２２０の屈折率、開口径、長さ及びサイズ等は、発光部側カバー２２０の外面に入射した光が反射または屈折することにより第１の入射面２１１に向かわないように設定されている。発光部側カバー２２０が透過部材によって構成される場合、発光部側カバー２２０は、第１の導光部２１０と一体に形成することができる。これにより、光伝送装置１００の部材の数を減らすことができる。
【００２１】
図３に示されるように、発光部２３０は、第１の入射面２１１と対向するように設けられる。例えば、発光部２３０は、第１の入射面２１１に向けて散乱光を出射する。発光部２３０は、第１の開口面２２１及び第２の開口面２２２を介して、第１の入射面２１１と対向する。図１、図２及び図３に示されるように、発光部２３０は、発光部２３０の光軸（中心線）が光軸ＯＡ１に重なるように設けられる。発光部２３０は、例えば発光素子等である。
【００２２】
受光部側部材３００について説明する。図４は、受光部側部材３００の拡大斜視図である。図４には、受光部側部材３００の光軸ＯＡ２が記載されている。図４に示されるように、受光部側部材３００は、第２の導光部３１０、受光部側カバー３２０及び受光部３３０を備える。図１、図２及び図４に示されるように、第２の導光部３１０及び受光部３３０の光軸（中心線）は、光軸ＯＡ２に重なるよう設けられている。
【００２３】
図４に示されるように、第２の導光部３１０は、円柱状に形成されている。また、第２の導光部３１０は、第２の入射面３１１及び第２の出射面３１２を有する。第２の入射面３１１は、第２の導光部３１０の発光部側部材２００側の一端に形成されている。また、第２の出射面３１２は、第２の導光部３１０の受光部３３０側の一端に形成されている。第２の入射面３１１及び第２の出射面３１２は互いに平行になるように形成されている。
【００２４】
第２の導光部３１０は、大気の屈折率より大きな屈折率を持つ透過部材で構成される。すなわち、第２の導光部３１０は、例えば石英ガラスなどの光学ガラスにより構成される。また、第２の導光部３１０は、ＰＭＭＡなどの樹脂材料により構成されてもよい。
【００２５】
第２の入射面３１１には、対向する第１の出射面２１２から出射された光が入射する。第２の出射面３１２からは、第２の入射面３１１に入射した光が出射する。すなわち、第２の導光部３１０は、第２の入射面３１１に入射した光を第２の出射面３１２から出射する。具体的には、第２の入射面３１１に入射した光は、第２の導光部３１０の曲面状の側面と大気との境界面によって全反射を繰り返した後、第２の出射面３１２から出射される。そのため、第２の入射面３１１に入射した光は、埃などの空気中の物質によって散乱することなく第２の出射面３１２から出射される。すなわち、第２の導光部３１０を設けることによって、光を効率よく伝送することができる。
【００２６】
図４に示されるように、受光部側カバー３２０は、第３の開口面３２１及び第４の開口面３２２を備える。また、受光部側カバー３２０は、例えばＰＥＴシートにより形成される。この場合、受光部側カバー３２０の外面は光を反射する反射面とする。例えば、受光部側カバー３２０の外面は、光反射剤によってコーティングされている。また、受光部側カバー３２０の内面は、光を吸収する面とする。
【００２７】
図１、２に示されるように、受光部側カバー３２０は、第２の導光部３１０の第２の入射面３１１側に設けられる。すなわち、受光部側カバー３２０は、第１の出射面２１２及び第２の入射面３１１の間に設けられる。図１及び図２に示されるように、受光部側カバー３２０は第３の開口面３２１及び第４の開口面３２２の中心を、光軸ＯＡ２が通るよう設けられる。第３の開口面３２１は、受光部側カバー３２０の発光部側部材２００側に設けられる。第４の開口面３２２は、受光部側カバー３２０の第２の導光部３１０側に設けられる。
【００２８】
第４の開口面３２２は、第３の開口面３２１よりも面積が大きくなるように形成されている。すなわち、図４に示されるように、光軸ＯＡ２に対して垂直方向にて発光部側カバー２２０を切断した際の切断面において、発光部側カバー２２０の内側の側面で囲まれた面の面積は、第３の開口面３２１側から第４の開口面３２２側に向かうにつれて大きくなるように設定されている。受光部側カバー３２０では、第３の開口面３２１から第４の開口面３２２までが貫通されている。この貫通された部分には、第１の出射面２１２からの光が伝送する光路、すなわち導光路が形成される。
【００２９】
このように受光部側カバー３２０を構成することにより、第１の出射面２１２から出射された光以外の光が第２の入射面３１１に入射することを効率よく抑制できる。仮に、受光部側カバー３２０が、第１の出射面２１２側から第２の導光部３１０側に向けて配置されている場合は、上記の場合と比較して、第１の出射面２１２から出射された光以外の光が第２の入射面３１１に入射しやすいため好ましくない。
【００３０】
また、図４に示されるように、第４の開口面３２２と第２の入射面３１１は、接している。一方で、第４の開口面３２２と第２の入射面３１１は、離間して配置されていても良い。さらに、第２の入射面３１１は、第３の開口面３２１及び第４の開口面３２２間に設けられていても良い。
【００３１】
なお、受光部側カバー３２０は、大気の屈折率より大きな屈折率を持つ透過材で構成されてもよい。受光部側カバー３２０は、例えば石英ガラスなどの光学ガラスにより構成される。また、受光部側カバー３２０は、ＰＭＭＡ等の樹脂材料により構成されてもよい。この場合、受光部側カバー３２０の外面は少なくとも光を反射する光反射面とする。また、受光部側カバー３２０の屈折率、開口径、長さ及びサイズ等は、受光部側カバー３２０の外面に入射した光が反射または屈折することにより第２の入射面３１１に向かわないように設定されている。受光部側カバー３２０が透過部材によって構成される場合、受光部側カバー３２０は、第２の導光部３１０と一体に形成することができる。これにより、光伝送装置１００の部材の数を減らすことができる。
【００３２】
図４に示されるように、受光部３３０は、第２の出射面３１２と対向する位置に設けられている。受光部３３０は、第２の出射面３１２から出射される光を受光する。図１、図２及び図４に示されるように、受光部３３０の光軸（中心線）は光軸ＯＡ２に重なるように設定されている。受光部３３０は、例えば受光素子等である。
【００３３】
発光部側基材部４００について、説明する。図１及び図２に示されるように、発光部側基材部４００には、発光部側部材２００の第１の導光部２１０、発光部側カバー２２０及び発光部２３０が不図示のピン等の取付部材やはんだ等の接合材によって取り付けられている。また、図１及び図２に示されるように、発光部側基材部４００は、連結部６００ａ、６００ｂによって、受光部側基材部５００と連結されている。発光部側基材部４００は、例えば、ガラスエポキシ基板等により構成される。
【００３４】
受光部側基材部５００について説明する。図１及び図２に示されるように、受光部側基材部５００には、受光部側部材３００の第２の導光部３１０、受光部側カバー３２０及び受光部３３０が不図示のピン等の取付部材やはんだ等の接合材によって取り付けられている。また、図１及び図２に示されるように、受光部側基材部５００は、連結部６００ａ、６００ｂによって、発光部側基材部４００と連結されている。受光部側基材部５００は、例えば、ガラスエポキシ基板等により構成される。
【００３５】
連結部６００ａ、６００ｂについて説明する。図５は、連結部６００ａ、６００ｂの構成を示す拡大斜視図である。図６は、連結部６００ａ、６００ｂの機能を説明するための図である。連結部６００ａ及び連結部６００ｂはそれぞれ同様の構成、接続関係、及び機能を有している。図１、図２及び図６に示されるように、連結部６００ａ、６００ｂは発光部側基材部４００及び受光部側基材部５００に取り付けられる。連結部６００ａ及び連結部６００ｂはそれぞれ取り付けられる位置が異なる。すなわち、図１及び図２に示されるように、連結部６００ａ及び連結部６００ｂは、発光部側部材２００及び受光部側部材３００を挟むように、光軸ＯＡ１、ＯＡ２に平行に、それぞれ設けられている。
【００３６】
図１及び図５に示されるように、連結部６００ａ、６００ｂは、第１の取付部６１０、第２の取付部６２０及び接続部６３０から構成される。図１に示されるように、第１の取付部６１０は、第１の導光部２１０を備える発光部側基材部４００に取り付けられる。また、第２の取付部６２０は、第２の導光部３１０を備える受光部側基材部５００に取り付けられる。また、接続部６３０は、第１の取付部６１０及び第２の取付部６２０間を接続する。これにより、連結部６００ａ、６００ｂは、発光部側基材部４００及び受光部側基材部５００を連結する。すなわち、連結部６００ａ、６００ｂは、発光部側基材部４００及び受光部側基材部５００を介して、第１の導光部２１０及び第２の導光部３１０を連結する。
【００３７】
このとき、連結部６００ａ、６００ｂは、第１の出射面２１２及び第２の入射面３１１が対向するように、第１の導光部２１０及び第２の導光部３１０を連結する。また、連結部６００ａ、６００ｂは、第１の出射面２１２及び第２の入射面３１１の間に間隙７００が設けられた状態で、第１の導光部２１０及び第２の導光部３１０の双方又は一方が移動できるように、第１の導光部２１０及び第２の導光部３１０を連結する。
【００３８】
なお、発光部側基材部４００及び受光部側基材部５００には、第１の取付部６１０及び第２の取付部６２０の取付位置を示す目印が予め印刷されている。これにより、第１の取付部６１０及び第２の取付部６２０を、発光部側基材部４００及び受光部側基材部５００に予め印刷された目印に合わせて取り付けるだけで、発光部側基材部４００及び受光部側基材部５００を正しく連結することができる。
【００３９】
ここで、間隙７００について説明する。図７及び図８は間隙７００を説明するための図である。具体的には図７は、発光部側部材２００と受光部側部材３００との間を中心に図１を拡大した図である。また、図８は、発光部側部材２００と受光部側部材３００との間を中心に図２を拡大した図である。図７及び図８に示されるＸ（Ｘ＞０）は、第１の出射面２１２及び第３の開口面３２１間の距離であって、間隙７００の長さを示す。
【００４０】
図１に示されるように、間隙７００は、発光部側部材２００と受光部側部材３００との間に形成される。具体的には、図７及び図８に示されるように第１の出射面２１２及び第３の開口面３２１の間に、間隙７００が形成される。また、間隙７００は、連結部６００ａ、６００ｂが第１の導光部２１０及び第２の導光部３１０を離間して連結することにより設けられる。この連結によって、第１の出射面２１２及び第３の開口面３２１までの距離（Ｘ）は、所定の長さに設定される。
【００４１】
次に図５を用いて、連結部６００ａ、６００ｂの第１の取付部６１０、第２の取付部６２０及び接続部６３０の詳細を説明する。
【００４２】
図５に示されるように、第１の取付部６１０は、第１の収容部６１１、第１の取付面６１２及び第１の接続開口部６１３を有する。
【００４３】
第１の収容部６１１は、第１の取付部６１０の中央部に形成されている球状の空洞である。第１の収容部６１１には、接続部６３０の一端（後述する第１の軸端部６３１）が収容される。すなわち、接続部６３０の一端（後述する第１の軸端部６３１）が第１の収容部６１１から取り外しできないように、且つ接続部６３０の一端（後述する第１の軸端部６３１）が第１の収容部６１１内で回転可能なように、第１の収容部６１１の大きさは、接続部６３０の一端（後述する第１の軸端部６３１）よりも僅かに大きく形成されている。
【００４４】
第１の取付面６１２は、第１の取付部６１０の一面である。第１の取付面６１２は、ピン等の取付部材やはんだ等の接合材によって発光部側基材部４００に取り付けられる。これにより、図１、図２及び図６に示されるように第１の取付部６１０は、発光部側基材部４００に固定される。
【００４５】
第１の接続開口部６１３は、第１の取付部６１０の一面に形成されている。第１の接続開口部６１３の大きさは、接続部６３０の一端（後述する第１の軸端部６３１）よりも小さく、後述する接続基材部６３３の断面積より大きい。その為、接続部６３０の一端（後述する第１の軸端部６３１）は、第１の接続開口部６１３から抜けない。第１の接続開口部６１３からは、第１の収容部６１１に一端（後述する第１の軸端部６３１）が収容された接続部６３０が、第２の取付部６２０に向けて突出している。
【００４６】
図５に示されるように、第２の取付部６２０は、第２の収容部６２１、第２の取付面６２２及び第２の接続開口部６２３を有する。
【００４７】
第２の収容部６２１は、第２の取付部６２０の中央部に形成されている球状の空洞である。第２の収容部６２１には、接続部６３０の他端（後述する第２の軸端部６３２）が収容される。すなわち、接続部６３０の一端（後述する第２の軸端部６３２）が第２の収容部６２１から取り外しできないように、且つ接続部６３０の一端（後述する第２の軸端部６３２）が第２の収容部６２１内で回転可能なように、第２の収容部６２１の大きさは、接続部６３０の一端（後述する第２の軸端部６３２）よりも大きく形成されている。
【００４８】
第２の取付面６２２は、第２の取付部６２０の一面である。第２の取付面６２２は、ピン等の取付部材やはんだ等の接合材によって受光部側基材部５００に取り付けられる。これにより、図１及び図２に示されるように第２の取付部６２０は、受光部側基材部５００に固定される。
【００４９】
第２の接続開口部６２３は、第２の取付部６２０の一面に形成されている。第２の接続開口部６２３の大きさは、接続部６３０の他端（後述する第２の軸端部６３２）よりも小さく、後述する接続基材部６３３の断面積より大きい。そのため、接続部６３０の他端（後述する第２の軸端部６３２）は、第２の接続開口部６２３から抜けない。第２の接続開口部６２３からは、第２の収容部６２１に他端が収容された接続部６３０が、第１の取付部６１０に向けて突出している。
【００５０】
図５に示されるように接続部６３０は、第１の軸端部６３１、第２の軸端部６３２及び接続基材部６３３を備えている。第１の軸端部６３１は、接続基材部６３３の第１の取付部６１０側の一端に形成されている。第１の軸端部６３１は、第１の収容部６１１から取り外せないように、且つ第１の収容部６１１内で回転できるように、第１の収容部６１１に収容されている。第１の軸端部６３１は、例えば球形に形成されている。
【００５１】
第２の軸端部６３２は、接続基材部６３３の第２の取付部６２０側の一端に形成されている。第２の軸端部６３２は、第２の収容部６２１から取り外せないように、且つ第２の収容部６２１内で回転できるように、第２の収容部６２１に収容されている。第２の軸端部６３２は、例えば球形に形成されている。
【００５２】
接続基材部６３３は、図５に示されるように棒状に形成されている。接続基材部６３３の一端には、第１の軸端部６３１が取り付けられている。また、接続基材部６３３の他端には、第２の軸端部６３２が取り付けられている。接続基材部６３３は、第１の軸端部６３１又は第２の軸端部６３２を中心として回転する。具体的には、接続基材部６３３及び第１の軸端部６３１は、第２の軸端部６３２を中心として回転する。一方で、接続基材部６３３及び第２の軸端部６３２は、第１の軸端部６３１を中心として回転する。接続基材部６３３が第１の軸端部６３１を中心に回転できる範囲は、第１の接続開口部６１３の大きさによって決定される。また、接続基材部６３３が第２の軸端部６３２を中心に回転できる範囲は、第２の接続開口部６２３の大きさによって決定される。
【００５３】
図９は、連結部６００ａ、６００ｂの機能を説明するための図である。例えば、図９に示されるように、接続基材部６３３は、第１の接続開口部６１３又は第２の接続開口部６２３の縁に当接するまで、第１の軸端部６３１又は第２の軸端部６３２を中心に回転することができる。すなわち、第１の接続開口部６１３又は第２の接続開口部６２３の大きさにより、接続基材部６３３の回転できる範囲を調整できる。例えば、接続基材部６３３は、第１の接続開口部６１３又は第２の接続開口部６２３が大きくなるにしたがって、回転できる角度が大きくなる。
【００５４】
なお、この説明において、発光部側基材部４００及び受光部側基材部５００間は、連結部６００ａ、６００ｂにより連結されるとした。しかし、発光部側基材部４００及び受光部側基材部５００間は、連結部６００ａ、６００ｂ以外の部材によって連結されても良い。具体的には、接続部６３０に代えて、第１の軸端部６３１及び第２の軸端部６３２を有さない棒状のピンを用いても良い。この場合、第１の取付部６１０及び第２の取付部６２０に代えて、前述の棒状のピンを挿抜可能な穴が形成されたピン取付部材を発光部側基材部４００及び受光部側基材部５００に固定する。そして、発光部側基材部４００及び受光部側基材部５００に配置された部材にピンを挿入することによって、発光部側基材部４００及び受光部側基材部５００間を連結することができる。なお、棒状のピンの両端には爪が形成されており、この爪は前述の棒状のピン取付部材の穴に引掛けられる。これにより棒状のピンがピン取付部材から外れない。以上のように、固定部材を前述の棒状のピンとピン取付部材とで構成することで、光伝送装置１００は、より簡素な構成にすることができる。
【００５５】
以上、光伝送装置１００の構成について説明した。
【００５６】
次に、光伝送装置１００の動作について説明する。
【００５７】
ここでは、発光部側部材２００及び受光部側部材３００間の相対的な位置関係が変化する前後の各々について、光伝送装置１００の動作を説明する。
【００５８】
まず、発光部側部材２００及び受光部側部材３００間の相対的な位置関係が変化する前（初期設定時）の光伝送装置１００の動作を説明する。図２に示されるように、発光部側部材２００及び受光部側部材３００間の相対的な位置関係が変化する前においては、発光部側部材２００の光軸ＯＡ１と受光部側部材３００の光軸ＯＡ２とが重なるように設定されている。すなわち、発光部２３０、第１の導光部２１０、第２の導光部３１０、及び受光部３３０の光軸（中心線）は、同一直線上に設定されている。
【００５９】
図２に示されるように、発光部側部材２００及び受光部側部材３００間には、間隙７００が形成される。具体的には、間隙７００は、第１の出射面２１２及び第３の開口面３２１間に形成される。また、図７に示されるように間隙７００の長さはＸ（Ｘ＞０）である。これにより、第１の出射面２１２及び第３の開口面３２１が、接触することは無い。すなわち、発光部側部材２００及び受光部側部材３００が、接触することは無い。
【００６０】
発光部２３０は、第１の入射面２１１に向けて光を出射する。発光部２３０より出射された光は、発光部側カバー２２０を通過して、第１の入射面２１１に入射する。第１の入射面２１１に入射した光は、第１の導光部２１０の曲面状の側面と大気との境界面において全反射を繰り返した後、第１の出射面２１２から出射される。第１の出射面２１２から出射された光は、間隙７００及び受光部側カバー３２０を通過して、第２の入射面３１１に入射する。そして、第２の入射面３１１に入射した光は、第２の導光部３１０の曲面状の側面と大気との境界面において全反射を繰り返した後、第２の出射面３１２から受光部３３０に向けて出射される。受光部３３０は、第２の出射面３３２から出射された光を受光する。このようにして、発光部２３０から出射された光は、互いに重なり合う光軸ＯＡ１及びＯＡ２に沿って、第１の導光部２１０及び第２の導光部３１０を通って、受光部３３０によって受光される。
【００６１】
上記の説明において、発光部２３０から出射され第１の開口面２２１を通過する光は、光軸ＯＡ１に沿って第１の入射面２１１に向かう。一方で、発光部２３０から出射された光以外の光は、発光部側カバー２２０の外面によって反射されるため、第１の入射面２１１に向かわない。このように、発光部側カバー２２０を設けることによって、発光部２３０から出射された光以外の光が第１の入射面２１１に向かうことを抑制できる。なお、第１の開口面２２１及び第２の開口面２２２の面積の比率を調整することにより、発光部側カバー２２０の外面とＯＡ１とがなす角度を調整できる。これによって、発光部側カバー２２０の外面で反射される光が、発光部２３０及び受光部３３０に向かわないように設定できる。
【００６２】
また、上記の説明において、第１の出射面２１２から出射され第３の開口面３２１を通過する光は、光軸ＯＡ２に沿って第２の入射面３１１に向かう。一方で、第１の出射面２１２から出射された光以外の光は、受光部側カバー３２０の外面によって反射されるため、第２の入射面３１１に向かわない。このように、受光部側カバー３２０を設けることによって、第１の出射面２１２から出射された光以外の光が第２の入射面３１１に向かうことを抑制できる。なお、第３の開口面３２１及び第４の開口面３２２の面積の比率を調整することにより、受光部側カバー３２０の外面とＯＡ２とがなす角度を調整できる。これによって、受光部側カバー３２０の外面で反射される光が、発光部２３０及び受光部３３０に向かわないように設定できる。
【００６３】
次に、発光部側部材２００及び受光部側部材３００の相対的な位置関係が変化した後の光伝送装置１００の動作の詳細について説明する。図１０は、光伝送装置１００の動作を説明するための図であって、発光部側部材２００及び受光部側部材３００の相対的な位置関係が変化した後の光伝送装置１００の状態を示す。図１０に示される光伝送装置１００は、第１の接続開口部６１３又は第２の接続開口部６２３に当接するまで、接続基材部６３３が第１の軸端部６３１又は第２の軸端部６３２を中心に回転したものである。すなわち、図１０に示される光伝送装置１００は、発光部側部材２００及び受光部側部材３００が、互いに近づく方向に最大限に移動したものである。
【００６４】
図１０に示される光伝送装置１００においても、連結部６００ａ、６００ｂは、第１の出射面２１２及び第３の開口面３２１の間に、間隙７００が設けられるように調整されている。図１０に示される光伝送装置１００の間隙７００は、発光部側部材２００及び受光部側部材３００が互いに近づく方向に最大限に移動することにより、短くなる。しかし、連結部６００は、常に間隙７００が形成されるように設定されている。このため、接続基材部６３３が第１の軸端部６３１又は第２の軸端部６３２を中心に回転して、第１の出射面２１２及び第３の開口面３２１が接触することは無い。すなわち、発光部側部材２００及び受光部側部材３００が互いに近づく方向に最大限に移動したとしても、発光部側部材２００及び受光部側部材３００は、接触することは無い。
【００６５】
また、図１０に示されるように、発光部側部材２００及び受光部側部材３００が互いに近づく方向に最大限に移動したとしても、連結部６００ａ、６００ｂは、第１の出射面２１２及び第２の入射面３１１の少なくとも一部が互いに対向するように設けられている。このため、発光部側部材２００及び受光部側部材３００が互いに近づく方向に最大限に移動したとしても、第２の入射面３１１には、第１の出射面２１２から出射された光が確実に入射する。したがって、図１０に示される光伝送装置１００においても、発光部２３０から出射された光は、第１の導光部２１０及び第２の導光部３１０を通過した後、確実に受光部３３０によって受光される。
【００６６】
以上、光伝送装置１００の動作について説明した。
【００６７】
次に図１１〜図１３を用いて、光伝送装置１００を筐体８００に実装する例について説明する。図１１は、光伝送装置１００を実装した筐体８００の上側から見た透過図である。図１２は、図１１に示される光伝送装置１００を実装した筐体８００を、Ａ−Ａ切断線で切断したときの断面図である。図１３は、図１１に示される光伝送装置１００を実装した筐体８００を、Ｂ−Ｂ切断線で切断したときの断面図である。なお、この説明においては、発光部側部材２００が取り付けられた発光部側基材部４００は拡張カードとする。また、受光部側部材３００が取り付けられた受光部側基材部５００はマザーボードとする。
【００６８】
図１２に示す発光部側基材部４００では、第１の導光部２１０、発光部側カバー２２０及び発光部２３０がピンｐによって取り付けられている。発光部側基材部４００は、受光部側基材部５００に対して、取り付け及び取り外しが可能である。なお、拡張カードにはＣＰＵ（Ｃｅｎｔｒａｌ  Ｐｒｏｃｅｓｓｉｎｇ  Ｕｎｉｔ）等の様々な電子部品が実装されるため、一般的に、拡張カードはマザーボードより長い。そのため、図１１〜図１３では、発光部側基材部４００の光軸ＯＡ１方向の長さは、受光部側基材部５００の光軸ＯＡ２方向の長さに比べて長く示されている。
【００６９】
拡張カードの具体例は、例えば、ＨＤＤ（Ｈａｒｄ  ｄｉｓｋ  ｄｒｉｖｅ）、ＣＰＵカード、ＬＡＮ（Ｌｏｃａｌ  Ａｒｅａ  Ｎｅｔｗｏｒｋ）カード、ＦＣ（Ｆｉｂｒｅ  Ｃｈａｎｎｅｌ）カード、及びＵＳＢ（Ｕｎｉｖｅｒｓａｌ  Ｓｅｒｉａｌ  Ｂｕｓ）対応のインターフェースカード等である。
【００７０】
図１２に示す受光部側基材部５００では、第２の導光部３１０、受光部側カバー３２０及び受光部３３０がピン（図で示すｐ）によって取り付けられている。
【００７１】
筐体８００は、直方体状に形成され、内部に空洞を有する。図１１〜図１３に示されるように、筐体８００は、上ケース部８１０及び下ケース部８２０備えている。筐体８００は、例えば、基板等を収納するサーバ用のケースであって、アルミニウム等によって構成される。
【００７２】
上ケース部８１０及び下ケース部８２０は、互いに嵌合される。これにより、光伝送装置１００が筐体８００に収容される。
【００７３】
下ケース部８２０は、リブ８３０ａ、８３０ｂを有する。図１１〜図１３に示されるように、リブ８３０ａ、８３０ｂは、下ケース部８２０の内側面に設けられた平板状の突起部である。また、リブ８３０ａ、８３０ｂは、発光部側基材部４００及び受光部側基材部５００を保持する。
【００７４】
次に光伝送装置１００を筐体８００に実装する方法を説明する。
【００７５】
まず、受光部側基材部５００（マザーボード）を下ケース部８２０のリブ８３０ａ、８３０ｂに、例えば、ねじ止めや接着剤によって固定する。これにより、受光部側基材部５００（マザーボード）が筐体８００に固定される。
【００７６】
次に、受光部側基材部５００の所定の箇所に、連結部６００ａ、６００ｂの第２の取付部６２０を接着剤により固定する。この際、発光部側基材部４００（以下、例えばＬＡＮカードとする。）に予め印刷されている目印に合わせて、連結部６００ａ、６００ｂの第２の取付部６２０を受光部側基材部５００（マザーボード）に固定する。これにより、連結部６００ａ、６００ｂが、受光部側基材部５００（マザーボード）に固定される。
【００７７】
次に、発光部側基材部４００（ＬＡＮカード）を受光部側基材部５００（マザーボード）に連結する。具体的には、発光部側基材部４００（拡張カード）をリブ８３０ａ、８３０ｂ上に配置する。これにより、発光部側基材部４００（ＬＡＮカード）及び受光部側基材部（マザーボード）が、同一のリブ８３０ａ、８３０ｂ上に配置される。そして、連結部６００ａ、６００ｂの第１の取付部６１０を発光部側基材部４００（ＬＡＮカード）の所定箇所に接着剤により固定する。このように、発光部側基材部４００（ＬＡＮカード）が、連結部６００ａ、６００ｂによって、リブ８３０ａ、８３０ｂ上で受光部側基材部５００（マザーボード）に対して移動可能なように連結される。
【００７８】
そして、上ケース部８１０及び下ケース部８２０を嵌合させる。
【００７９】
以上、光伝送装置１００を筐体８００に実装する方法について説明した。
【００８０】
次に、発光部側基材部４００（ＬＡＮカード）を、他の発光部側基材部４００（以下、例えばＣＰＵカードとする。）に交換する方法について説明する。
【００８１】
まず、下ケース部８２０から上ケース部８１０を取り外す。
【００８２】
次に、発光部側基材部４００（ＬＡＮカード）から連結部６００ａ、６００ｂの第１の取付部６１０を接着剤用のリムーバを用いて取り外す。
【００８３】
次に、発光部側基材部４００（ＬＡＮカード）をリブ８３０ａ、８３０ｂ上から、取り外す。このようにして、発光部側基材部４００（ＬＡＮカード）は、筐体８００から取り出される。
【００８４】
次に、他の発光部側基材部４００（ＣＰＵカード）を、受光部側基材部５００（マザーボード）に連結する。具体的な連結方法は、上述の発光部側基材部４００（ＬＡＮカード）を受光部側基材部５００（マザーボード）に連結する方法と同様である。そして、最後に上ケース部８１０及び下ケース部８２０を嵌合させる。以上、光伝送装置１００における発光部側基材部４００の交換方法について説明した。
【００８５】
このような交換方法によれば、連結部６００ａ、６００ｂの第１の取付部６１０を交換前の発光部側基材部４００から取外し、交換後の発光部側基材部４００に固定することで、光伝送装置１００における発光部側基材部４００を交換することができる。このように、光伝送装置１００においては、発光部側基材部４００を簡単に交換することができる。
【００８６】
なお、この説明において、発光部側部材２００が設けられた発光部側基材部４００が拡張カードであって、受光部側部材３００が設けられた受光部側基材部５００がマザーボードであるとしたが、これらは逆であっても良い。すなわち、発光部側部材２００が設けられた発光部側基材部４００がマザーボードであって、受光部側部材３００が設けられた受光部側基材部５００が拡張カードであっても良い。
【００８７】
以上、光伝送装置１００を筐体８００に実装する例について説明した。
【００８８】
以上のように、本実施形態に記載の光伝送装置１００は、第１の導光部２１０、第２の導光部３１０及び連結部６００ａ、６００ｂを備える。第１の導光部２１０は、第１の入射面２１１に入射した光を第１の出射面２１２から出射する。第２の導光部３１０は、第１の出射面２１２から出射された光を、第２の入射面３１１で受光し第２の出射面３１２から出射する。連結部６００ａ、６００ｂは、第１の出射面２１２及び第２の入射面３１１が対向するように、第１の導光部２１０及び第２の導光部３１０を連結する。また、連結部６００ａ、６００ｂは、第１の出射面２１２及び第２の入射面３１１の間に間隙７００が設けられた状態で、第１の導光部２１０及び第２の導光部３１０の双方又は一方が移動できるように、第１の導光部２１０及び第２の導光部３１０を連結する。
【００８９】
このように、連結部６００は、第１の出射面２１２及び第２の入射面３１１の間に間隙７００が設けられた状態で、第１の導光部２１０及び第２の導光部３１０の双方又は一方が移動できるように、第１の導光部２１０及び第２の導光部３１０を連結する。ここで、第２の導光部３１０の第２の入射面３１１は、受光部側カバー３２０の第３の開口面３２１よりも第１の出射面２１２から離れて配置されている。したがって、第１の出射面２１２及び第２の入射面３１１の間の距離は、少なくとも間隙７００の長さ（Ｘ）以上となり、第１の導光部２１０及び第２の導光部３１０間にも当然に空隙が形成される。なお、前述した通り、図１０に示されるような光伝送装置１００においても、第１の出射面２１２及び第２の入射面３１１の間に間隙７００が形成されている。すなわち、第１の導光部２１０及び第２の導光部３１０が、互いに最も近づいたとしても、第１の導光部２１０及び第２の導光部３１０の間には間隙７００が形成されている。このため、例えば振動が光伝送装置１００に加わり、第１の導光部２１０及び第２の導光部３１０が互いに最も近づいたとしても、互いに接触しない。このため、第１の導光部２１０及び第２の導光部３１０には、第１の導光部２１０及び第２の導光部３１０が接触することによる負荷が加わらない。したがって、光伝送装置１００は、第１の導光部２１０及び第２の導光部３１０が破損することがないので、第１の導光部２１０に入射した光をより確実に第２の導光部３１０へ伝送することができる。この結果、光伝送装置１００は、より安定的に光を伝送できる。
【００９０】
また、本実施形態に記載の光伝送装置１００は、受光部側カバー３２０及び連結部６００を備えている。受光部側カバー３２０は、第１の出射面２１２及び第２の入射面３１１の間に備えられ、第１の出射面２１２から出射される光以外の光が第２の入射面３１１に入射することを抑制する。また、連結部６００は、受光部側カバー３２０の第１の出射面２１２側の端部及び第１の出射面２２１の間に間隙７００が設けられた状態で、第１の導光部２１０及び第２の導光部３１０の双方又は一方が移動できるように、第１の導光部２１０及び第２の導光部３１０を連結する。
【００９１】
このように、受光部側カバー３２０は、第１の出射面２１２から出射される光以外の光が第２の入射面３１１に入射することを抑制する。すなわち、光伝送装置１００は、第２の入射面３１１に、外光等の伝送すべきでない光が入射することを抑制できる。そのため、光伝送装置１００は、伝送すべき光をより高い精度で伝送することができる。
【００９２】
また、本実施形態に記載の光伝送装置１００は、発光部２３０と発光部側カバー２２０とを備える。発光部２３０は、第１の入射面２１１に向けて光を出射する。発光部側カバー２２０は、発光部２３０から出射された光以外が第１の入射面２１１に入射することを抑制する。
【００９３】
このように、発光部側カバー２２０は、発光部２３０から出射された光以外が第１の入射面２１１に入射することを抑制する。すなわち光伝送装置１００は、第１の入射面２１１に、外光等の伝送すべきでない光が入射することを抑制できる。そのため、光伝送装置１００は、伝送すべき光をより高い精度で伝送することができる。
【００９４】
また、本実施形態に記載の光伝送装置１００の間隙７００は所定の長さに設定されている。
【００９５】
このように、間隙７００は所定の長さに設定されている為、第１の出射面２１２から第２の入射面３１１までの距離の変化量を一定以下に抑えられる。そのため、光路長が大きく変動することがなくなるので、伝送される光の強度が変動することを抑制できる。この結果、光伝送装置１００は、伝送すべき光をより高い精度で伝送することができる。
【００９６】
また、本実施形態に記載の光伝送装置１００は、発光部２３０及び受光部３３０を備える。発光部２３０は、第１の入射面２１１に向けて光を出射する。受光部３３０は、第２の出射面３１２から出射される光を受光する。
【００９７】
このように、光伝送装置１００は、発光部２３０及び受光部３３０を備えている。このため、光伝送装置１００は、上記の効果に加えて、発光部２３０より出射された光を第１の導光部２１０及び第２の導光部３１０を介して、受光部３３０により受光できる。
【００９８】
以下、光伝送装置１００の変形例について説明する。図１４は、光伝送装置１００の変形例である光伝送装置１００Ａの斜視図である。図１４に示されるように、光伝送装置１００Ａは、発光部側部材２００Ａ、受光部側部材３００Ａ、発光部側基材部４００、受光部側基材部５００、連結部６００ａ、６００ｂを備えている。また、発光部側部材２００Ａ及び受光部側部材３００Ａ間には、間隙７００が形成されている。ここで、図１に示される光伝送装置１００と、図１４に示される光伝送装置１００Ａを対比する。光伝送装置１００Ａは、発光部側部材２００に代えて発光部側部材２００Ａを、受光部側部材３００に代えて受光部側部材３００Ａを備える点において、光伝送装置１００と相違する。
【００９９】
図１５は、発光部側部材２００の変形例である発光部側部材２００Ａを示す斜視図である。図１６は、受光部側部材３００の変形例である受光部側部材３００Ａを示す図である。
【０１００】
図１５に示されるように、発光部側部材２００Ａは、第１の導光部２１０Ａ、発光部側カバー２２０Ａ及び発光部２３０を備えている。ここで、図１５に示される発光部側部材２００Ａと図３に示される発光部側部材２００を対比する。発光部側部材２００Ａは、第１の導光部２１０に代えて第１の導光部２１０Ａ、発光部側カバー２２０に代えて発光部側カバー２２０Ａを備える点において、発光部側部材２００と相違する。
【０１０１】
第１の導光部２１０Ａは、第１の導光部２１０と同様の構成、接続関係、及び機能を備える。一方で、図１５に示されるように、第１の導光部２１０Ａは、直方体状に形成されている点において、円柱状の第１の導光部２１０と相違する。また、第１の導光部２１０Ａは、第１の入射面２１１及び第１の出射面２１２に代えて、第１の入射面２１１Ａ及び第１の出射面２１２Ａを備える点において、第１の導光部２１０と相違する。第１の入射面２１１Ａ及び第１の出射面２１２Ａは方形に形成されている点において、円形状の第１の入射面２１１及び第１の出射面２１２と相違する。
【０１０２】
発光部側カバー２２０Ａは、発光部側カバー２２０と同様の構成、接続関係、及び機能を備える。一方で、図１５に示される発光部側カバー２２０Ａの形状は四角錐台状に形成されている点において、円錐台状の発光部側カバー２２０と相違する。また、発光部側カバー２２０Ａは第１の開口面２２１及び第２の開口面２２２に代えて、第１の開口面２２１Ａ及び第２の開口面２２２Ａを備える点において発光部側カバー２２０と相違する。第１の開口面２２１Ａ及び第２の開口面２２２Ａは、方形である点において、円形状の第１の開口面２２１及び第２の開口面２２２と相違する。
【０１０３】
図１６に示されるように、受光部側部材３００Ａは、第２の導光部３１０Ａ、受光部側カバー３２０Ａ及び受光部３３０を備えている。ここで、図１６に示される受光部側部材３００Ａと、図４に示される受光部側部材３００とを対比する。受光部側部材３００Ａは、第２の導光部３１０に代えて第２の導光部３１０Ａ、受光部側カバー３２０に代えて受光部側カバー３２０Ａを備える点において、受光部側部材３００と相違する。
【０１０４】
第２の導光部３１０Ａは、第２の導光部３１０と同様の構成、接続関係、及び機能を備える。一方で、図１６に示されるように、第２の導光部３１０Ａは、直方体状に形成されている点において、円柱状の第２の導光部３１０と相違する。また、第２の導光部３１０Ａは、第２の入射面３１１及び第２の出射面３１２に代えて、第２の入射面３１１Ａ及び第２の出射面３１２Ａを備える点において、第２の導光部３１０と相違する。第２の入射面３１１Ａ及び第２の出射面３１２Ａは方形に形成されている点において、円形状の第２の入射面３１１及び第２の出射面３１２と相違する。
【０１０５】
受光部側カバー３２０Ａは、受光部側カバー３２０と同様の構成、接続関係、及び機能を備える。一方で、図１６に示される受光部側カバー３２０Ａの形状は四角錐台状である点において、円錐台状の受光部側カバー３２０と相違する。また、受光部側カバー３２０Ａは第３の開口面３２１及び第４の開口面３２２に代えて、第３の開口面３２１Ａ及び第４の開口面３２２Ａを備える点において受光部側カバー３２０と相違する。第３の開口面３２１Ａ及び第４の開口面３２２Ａは、方形に形成されている点において、円形状の第３の開口面３２１及び第４の開口面３２２と相違する。
【０１０６】
以上、光伝送装置１００Ａについて説明した。
【０１０７】
なお、光伝送装置１００Ａの動作、実装例及び効果は、光伝送装置１００と同様である。
（第２の実施形態）
次に図１７〜図２２を用いて、第２の実施形態における光伝送装置１００Ｂの構成を説明する。なお、図１７〜図２２では、第１の実施形態で示した各構成要素と同等の構成要素には、同等の符号を付している。図１７は、光伝送装置１００Ｂの構成を示す斜視図である。図１８は、光伝送装置１００Ｂの構成を示す上面図である。
【０１０８】
図１７及び図１８に示されるように、光伝送装置１００Ｂは、複数の発光部側部材２００Ｂ、複数の受光部側部材３００Ｂ、発光部側基材部４００、受光部側基材部５００、連結部６００ａ、６００ｂを備えている。複数の発光部側部材２００Ｂ及び複数の受光部側部材３００Ｂ間の各々には、複数の間隙７００が形成されている。
【０１０９】
図１７、図１８及び図１９を用いて、発光部側部材２００Ｂについて説明する。図１７及び図１８に示されるように、複数の発光部側部材２００Ｂの各々は、光軸ＯＡ１ａ、ＯＡ１ｂ、及びＯＡ１ｃが中心線となるように設けられている。光軸ＯＡ１ａ、ＯＡ１ｂ、及びＯＡ１ｃのそれぞれを区別しない場合、それぞれの総称は、光軸ＯＡ１として示される。
【０１１０】
図１９は、発光部側部材２００Ｂの構成を示す拡大斜視図である。図１９に示されるように、発光部側部材２００Ｂは、第１の導光部２１０Ｂ、発光部側カバー２２０Ｂ及び発光部２３０を備えている。
【０１１１】
図１９に示される発光部側部材２００Ｂと、図３に示される発光部側部材２００を対比する。発光部側部材２００Ｂは、第１の導光部２１０に代えて、第１の導光部２１０Ｂを備える点において、発光部側部材２００と相違する。以上の相違を除けば、発光部側部材２００Ｂは、発光部側部材２００と同様の構成、接続関係及び機能を備える。
【０１１２】
図１９に示されるように、第１の導光部２１０Ｂは、第１の入射面２１１Ｂ及び第１の出射面２１２Ｂを有する。第１の導光部２１０Ｂは円錐台状に形成されている。第１の導光部２１０Ｂは、ＯＡ１に沿って、第１の入射面２１１Ｂから第１の出射面２１２Ｂに向かうにつれて細くなるように形成される。また、第１の出射面２１２Ｂの面積は、第１の入射面２１１Ｂの面積よりも小さくなるように形成される。このため、発光部側基材部４００における第１の出射面２１２Ｂ側の領域は、発光部側基材部４００における第１の出射面２１２Ｂの領域に比べて、第１の導光部２１０Ｂが配置されていない領域が大きい。
【０１１３】
また、図１７及び図１８に示されるように、第１の出射面２１２Ｂは、受光部側部材３００Ｂの第２の入射面３１１Ｂと互いに対向するように設けられている。
【０１１４】
以上の相違を除けば、第１の導光部２１０Ｂは、第１の導光部２１０と同等の構成、接続関係及び機能を備える。
【０１１５】
発光部側カバー２２０Ｂは、第１の開口面２２１Ｂ及び第２の開口面２２２Ｂを備える。発光部側カバー２２０Ｂは、発光部側カバー２２０と同様の構成、接続関係及び機能を備える。
【０１１６】
図１７、図１８及び図２０を用いて受光部側部材３００Ｂについて説明する。図１７及び図１８に示されるように、複数の受光部側部材３００Ｂの各々は、光軸ＯＡ２ａ、ＯＡ２ｂ、及びＯＡ２ｃが中心線となるように設定されている。図１７及び図１８に示されるように、光軸ＯＡ２ａは、光軸ＯＡ１ａと同一直線上に設定される。また、光軸ＯＡ２ｂは、光軸ＯＡ１ｂと同一直線上に設定される。また、光軸ＯＡ２ｃは、光軸ＯＡ１ｃと同一直線上に設定される。光軸ＯＡ２ａ、ＯＡ２ｂ、及びＯＡ２ｃのそれぞれを区別しない場合、それぞれの総称は、光軸ＯＡ２として示される。
【０１１７】
図２０は、受光部側部材３００Ｂの構成を示す拡大斜視図である。図２０に示されるように、受光部側部材３００Ｂは、第２の導光部３１０Ｂ、受光部側カバー３２０Ｂ及び受光部３３０を備えている。
【０１１８】
図２０に示される受光部側部材３００Ｂと、図４に示される受光部側部材３００を対比する。受光部側部材３００Ｂは、第２の導光部３１０に代えて、第２の導光部３１０Ｂを備えている点において、受光部側部材３００と相違する。以上の相違を除けば、受光部側部材３００Ｂは、受光部側部材３００と同様の構成、接続関係及び機能を備える。
【０１１９】
図２０に示されるように、第２の導光部３１０Ｂは、第２の入射面３１１Ｂ及び第２の出射面３１２Ｂを備える。第２の導光部３１０Ｂは円錐台状に形成される。第２の導光部３１０Ｂは、ＯＡ２に沿って、第２の出射面３１２Ｂから第２の入射面３１１Ｂに向かうにつれて細くなる。また、第２の入射面３１１Ｂの面積は、第２の出射面３１２Ｂの面積よりも小さくなるように形成される。このため、受光部側基材部５００における第２の入射面３１１Ｂ側の領域は、受光部側基材部５００における第２の出射面３１２Ｂの領域に比べて、第２の導光部３１０Ｂが配置されていない領域が大きい。
【０１２０】
また、図１７及び図１８に示されるように、第２の入射面３１１Ｂは、第１の出射面２１２Ｂと対向するように設けられている。
【０１２１】
以上の相違を除けば、第２の導光部３１０Ｂは、第２の導光部３１０と同等の構成、接続関係及び機能を備える。
【０１２２】
受光部側カバー３２０Ｂは、第３の開口面３２１Ｂ及び第４の開口面３２２Ｂを備える。第３の開口面３２１Ｂは、第１の開口面２２１Ｂよりも小さく形成されている。また、第４の開口面３２２Ｂは、第２の開口面２２２よりも小さく形成されている。すなわち、受光部側カバー３２０Ｂは、発光部側カバー２２０Ｂよりも小さく形成されている。以上の相違を除けば、受光部側カバー３２０Ｂは、受光部側カバー３２０と同等の構成、接続関係及び機能を備える。具体的には、図１７及び図１８に示されるように、複数の受光部側カバー３２０Ｂの各々は、複数の第１の出射面２１２Ｂと複数の第２の入射面３１１Ｂの間に設けられる。そして、複数の受光部側カバー３２０Ｂの各々は、第２の入射面３１１Ｂに、第２の入射面３１１Ｂに対向する第１の出射面２１２Ｂから出射される光以外の光が入射することを抑制する。
【０１２３】
図１７及び図１８に示されるように、発光部側基材部４００には、複数の発光部側部材２００Ｂが取り付けられる。すなわち、発光部側基材部４００には、複数の第１の導光部２１０Ｂ、発光部側カバー２２０Ｂ、及び発光部２３０が取り付けられている。
【０１２４】
図１７及び図１８に示されるように、受光部側基材部５００には、複数の受光部側部材３００Ｂが取り付けられる。すなわち、受光部側基材部５００には、複数の第２の導光部３１０Ｂ、受光部側カバー３２０Ｂ、及び受光部３３０が取り付けられている。
【０１２５】
次に、連結部６００ａ、６００ｂについて説明する。連結部６００ａ、６００ｂは、本発明の基材連結部に対応する。図２１は、間隙７００を説明するための図である。具体的には、図２１は、複数の発光部側部材２００Ｂ及び複数の受光部側部材３００Ｂの間を中心に、図１７を拡大した図である。
【０１２６】
第１の実施形態における連結部６００ａ、６００ｂの説明においては、連結部６００ａ、６００ｂの各々は、第１の出射面２１２及び第２の入射面３１１が対向するように、第１の導光部２１０及び第２の導光部３１０を連結するとした。一方で、第２の実施形態における連結部６００ａ、６００ｂは、図２１に示されるように、第１の出射面２１２Ｂの各々と第２の入射面３１１Ｂの各々とがそれぞれ互いに対向するように、発光部側基材部４００及び受光部側基材部５００を連結する。
【０１２７】
また、第１の実施形態における連結部６００ａ、６００ｂの説明においては、連結部６００ａ、６００ｂは、第１の出射面２１２及び第２の入射面３１１の間に間隙７００が設けられた状態で、第１の導光部２１０及び第２の導光部３１０の双方又は一方が移動できるように、第１の導光部２１０及び第２の導光部３１０を連結するとした。一方で、第２の実施形態における連結部６００ａ、６００ｂは、図２１に示されるように、第１の出射面２１２Ｂの各々と第２の入射面３１１Ｂの各々との間に間隙７００がそれぞれ設けられた状態で、発光部側基材部４００及び受光部側基材部５００のいずれか一方又は両方が移動できるように、発光部側基材部４００及び受光部側基材部５００を連結する。具体的には、第２の実施形態における連結部６００ａ、６００ｂは、図２１に示されるように、複数の受光部側カバー３２０Ｂの第１の出射面２１２Ｂ側の端部と第１の出射面２１２Ｂとの間のそれぞれに、間隙７００が設けられた状態で、発光部側基材部４００及び受光部側基材部５００のいずれか一方又は両方が移動できるように、発光部側基材部４００及び受光部側基材部５００を連結する。
【０１２８】
図２１を用いて、間隙７００の各々について説明する。図２１に示されるＸ（Ｘ＞０）は、第１の出射面２１２Ｂ及び第３の開口面３２１Ｂ間の距離であって、間隙７００の長さを示す。
【０１２９】
図２１に示されるように、間隙７００は、発光部側部材２００Ｂ及び受光部側部材３００Ｂの間にそれぞれ形成される。間隙７００は、連結部６００ａ、６００ｂが、複数の発光部側部材２００Ｂ及び複数の受光部側部材３００Ｂを離間して連結することにより設けられる。図２１に示されるように、この連結によって、第１の出射面２１２Ｂ及び第３の開口面３２１Ｂ間の距離（Ｘ）は、所定の長さに設定される。ここでは、複数の間隙７００の長さは、Ｘで同じであるとする。
【０１３０】
なお、第１の実施形態の説明において前述したように、固定部材を、連結部６００ａ、６００ｂに代えて、前述の棒状のピンとピン取付部材とで構成することで、光伝送装置１００Ｂは、より簡素な構成にすることができる。
【０１３１】
以上、光伝送装置１００Ｂの構成について説明した。次に、光伝送装置１００Ｂの動作について説明する。
【０１３２】
ここでは、複数の発光部側部材２００Ｂ及び複数の受光部側部材３００Ｂ間の相対的な位置関係が変化する前後の各々について、光伝送装置１００Ｂの動作を説明する。
【０１３３】
複数の発光部側部材２００Ｂ及び複数の受光部側部材３００Ｂ間の相対的な位置関係が変化する前（初期設定時）の光伝送装置１００Ｂの動作を説明する。複数の発光部側部材２００Ｂ及び複数の受光部側部材３００Ｂ間の相対的な位置関係が変化する前においては、光軸ＯＡ１及び光軸ＯＡ２は、同一直線上に設定されている。具体的には、図１７及び図１８に示されるように、光軸ＯＡ１ａ及び光軸ＯＡ２ａは、同一直線上に設定されている。また、光軸ＯＡ１ｂ及び光軸ＯＡ２ｂは、同一直線上に設定されている。また、光軸ＯＡ１ｃ及び光軸ＯＡ２ｃは、同一直線上に設定されている。
【０１３４】
図１７及び図１８に示されるように、複数の発光部側部材２００Ｂ及び複数の受光部側部材３００Ｂ間の各々には、間隙７００が形成される。具体的には、間隙７００は、第１の出射面２１２Ｂ及び第３の開口面３２１Ｂ間のそれぞれに形成される。また、図７に示されるようにそれぞれの間隙７００の長さはすべてＸ（Ｘ＞０）である。これにより、第１の出射面２１２Ｂ及び第３の開口面３２１Ｂが互いに接触することは無い。すなわち、複数の発光部側部材２００Ｂ及び複数の受光部側部材３００Ｂが、接触することは無い。
【０１３５】
次に、複数の発光部側部材２００Ｂ及び複数の受光部側部材３００Ｂの相対的な位置関係が変化した後の光伝送装置１００Ｂの動作の詳細について説明する。図２２は、光伝送装置１００Ｂの動作を説明するための図であって、複数の発光部側部材２００Ｂ及び複数の受光部側部材３００Ｂの相対的な位置関係が変化した後の光伝送装置１００Ｂの状態を示す。図２２に示される光伝送装置１００Ｂは、複数の発光部側部材２００Ｂ及び複数の受光部側部材３００Ｂが、互いに近づく方向に最大限移動したものである。
【０１３６】
図２２に示される光伝送装置１００Ｂにおいても、連結部６００ａ、６００ｂは、第１の出射面２１２Ｂ及び第３の開口面３２１Ｂの間の各々に、間隙７００が設けられるように調整されている。すなわち、複数の発光部側部材２００Ｂ及び複数の受光部側部材３００Ｂの各々が、互いに接触することは無い。
【０１３７】
また、連結部６００ａ、６００ｂは、図２２に示される光伝送装置１００Ｂにおいて、第１の出射面２１２Ｂ及び第２の入射面３１１Ｂの各々の少なくとも一部が互いに対向するように設けられている。このため、複数の発光部側部材２００Ｂ及び複数の受光部側部材３００Ｂが、互いに近づく方向に最大限移動したとしても、第２の入射面３１１Ｂの各々には、第１の出射面２１２Ｂの各々から出射された光が確実に入射する。したがって、図１０に示される光伝送装置１００Ｂにおいても、発光部２３０の各々から出射された光は、第１の導光部２１０Ｂ及び第２の導光部３１０Ｂの各々を通過した後、確実にそれぞれの受光部３３０によって受光される。
【０１３８】
以上、光伝送装置１００Ｂの動作について説明した。なお、構成の説明及び動作の説明において発光部側部材２００Ｂの各々と受光部側部材３００の各々との間に形成される間隙７００の長さは、すべてＸで同じ長さであると説明した。しかし、複数の間隙７００の各々の長さは、それぞれ違っていても良い。この場合であっても、発光部側部材２００Ｂの各々と受光部側部材３００の各々とが互いに最も近づいたときに、発光部側部材２００Ｂの各々と受光部側部材３００の各々との間に間隙７００が形成されていることが必要となる。
【０１３９】
また、第１の実施形態で示した実装例と同様に、発光部側部材２００Ｂが設けられた発光部側基材部４００をマザーボードとして使用できる。同様に、受光部側部材３００Ｂが設けられた受光部側基材部５００を拡張カードして使用できる。なお、発光部側部材２００Ｂが設けられた発光部側基材部４００がマザーボードであって、受光部側部材３００Ｂが設けられた受光部側部５００が拡張カードであっても良い。この際の、光伝送装置１００Ｂの筐体８００への取り付け方法及び、筐体８００からの光伝送装置１００Ｂの取り外し方法は、第１の実施形態の実装例で示した内容と同様である。
【０１４０】
以上のように、本実施形態に記載の光伝送装置１００Ｂは、複数の第１の導光部２１０Ｂ、複数の第２の導光部３１０Ｂ、発光部側基材部４００、受光部側基材部５００及び連結部６００ａ、６００ｂを備える。第１の導光部２１０Ｂは、第１の入射面２１１Ｂに入射した光を第１の出射面２１２Ｂから出射する。第２の導光部３１０Ｂは、第１の出射面２１２Ｂから出射された光を、第２の入射面３１１Ｂで受光し第２の出射面３１２Ｂから出射する。連結部６００ａ、６００ｂは、第１の出射面２１２Ｂの各々と第２の入射面３１１Ｂの各々とがそれぞれ互いに対向するように、発光部側基材部４００及び受光部側基材部５００を連結する。また、連結部６００ａ、６００ｂは、第１の出射面２１２Ｂの各々と第２の入射面３１１Ｂの各々との間に間隙７００がそれぞれ設けられた状態で、発光部側基材部４００及び受光部側基材部５００の双方又は一方が移動できるように、発光部側基材部４００及び受光部側基材部５００を連結する。
【０１４１】
このように、連結部６００ａ、６００ｂは、第１の出射面２１２Ｂの各々と第２の入射面３１１Ｂの各々との間に間隙７００がそれぞれ設けられた状態で、発光部側基材部４００及び受光部側基材部５００の双方又は一方が移動できるように、発光部側基材部４００及び受光部側基材部５００を連結する。ここで、第２の導光部３１０Ｂの第２の入射面３１１Ｂは、受光部側カバー３２０Ｂの第３の開口面３２１Ｂよりも第１の出射面２１２Ｂから離れて配置されている。したがって、第１の出射面２１２Ｂ及び第２の入射面３１１Ｂの間のそれぞれの距離は、少なくとも間隙７００の長さ（Ｘ）以上となり、第１の導光部２１０Ｂ及び第２の導光部３１０Ｂ間にも当然に空隙が形成される。なお、前述した通り、光伝送装置１００Ｂが図２２に示される状態であっても、第１の出射面２１２Ｂ及び第２の入射面３１１Ｂの間に間隙７００がそれぞれ形成されている。すなわち、第１の導光部２１０Ｂ及び第２の導光部３１０Ｂの各々が、互いに最も近づいたとしても、第１の導光部２１０Ｂ及び第２の導光部３１０Ｂの間にはそれぞれ間隙７００が形成されている。そのため、例えば振動が光伝送装置１００Ｂに加わっても、第１の導光部２１０Ｂ及び第２の導光部３１０Ｂが接触することによる負荷が発生しない。よって、第１の導光部２１０Ｂ及び第２の導光部３１０Ｂが破損することがないので、第１の導光部２１０Ｂから第２の導光部３１０Ｂへの光の伝送が不安定になることを抑制できる。すなわち、光伝送装置１００Ｂは、より安定的に光を伝送できる。
【０１４２】
また、本実施形態に記載の光伝送装置１００Ｂは、複数の受光部側カバー３２０Ｂ及び連結部６００ａ、６００ｂを備えている。受光部側カバー３２０Ｂは、複数の第１の出射面２１２Ｂ及び複数の第２の入射面３１１Ｂの間にそれぞれ設けられ、第２の入射面３１１Ｂに、第２の入射面３１１Ｂに対向する第１の出射面２１２Ｂから出射される光以外の光が入射することを抑制する。また、連結部６００ａ、６００ｂは、複数の受光部側カバー３２０Ｂの第１の出射面２１２Ｂ側の端部及び第１の出射面２１２Ｂの間に間隙７００が設けられた状態で、第１の導光部２１０Ｂ及び第２の導光部３１０Ｂの双方又は一方が移動できるように、第１の導光部２１０Ｂ及び第２の導光部３１０Ｂを連結する。
【０１４３】
このように、受光部側カバー３２０Ｂは、第１の出射面２１２Ｂから出射される光以外の光が第２の入射面３１１Ｂに入射することを抑制する。すなわち、光伝送装置１００Ｂは、第２の入射面３１１Ｂに、外光等の伝送すべきでない光が入射することを抑制できる。そのため、光伝送装置１００Ｂは、伝送すべき光をより高い精度で伝送することができる。
【０１４４】
また、本実施形態に記載の光伝送装置１００Ｂは、発光部２３０と発光部側カバー２２０Ｂとを備える。発光部２３０は、第１の入射面２１１Ｂに向けて光を出射する。発光部側カバー２２０Ｂは、発光部２３０から出射された光以外が第１の入射面２１１Ｂに入射することを抑制する。
【０１４５】
このように、発光部側カバー２２０Ｂは、発光部２３０から出射された光以外が第１の入射面２１１Ｂに入射することを抑制する。すなわち光伝送装置１００は、第１の入射面２１１Ｂに、外光等の伝送すべきでない光が入射することを抑制できる。そのため、光伝送装置１００Ｂは、伝送すべき光をより高い精度で伝送することができる。
【０１４６】
また本実施形態に記載の光伝送装置１００Ｂは、第１の導光部２１０Ｂと第２の導光部３１０Ｂとを備えている。第１の導光部２１０Ｂは、第１の入射面２１１Ｂから第１の出射面２１２Ｂに向かうにつれて細くなる。また、第２の導光部３１０Ｂは、第２の出射面３１２Ｂから第２の入射面３１１Ｂに向かうにつれて細くなる。
【０１４７】
このように、第１の導光部２１０Ｂは、第１の入射面２１１Ｂから第１の出射面２１２Ｂに向かうにつれて細くなる。そのため、発光部側基材部４００における第１の出射面２１２Ｂ側の領域は、発光部側基材部４００における第１の出射面２１２Ｂの領域に比べて、第１の導光部２１０Ｂが配置されていない領域が大きい。また、第２の導光部３１０Ｂは、第２の出射面３１２Ｂから第２の入射面３１１Ｂに向かうにつれて細くなる。そのため、受光部側基材部５００における第２の入射面３１１Ｂ側の領域は、受光部側基材部５００における第２の出射面３１２Ｂの領域に比べて、第２の導光部３１０Ｂが配置されていない領域が大きい。
【０１４８】
このため、例えば、発光部側基材部４００のうち第１の出射面２１２Ｂ側の領域であって、より光軸ＯＡ１ａに近い領域に連結部６００ａの第１の取付部６１０を取り付けることができる。また同様に、例えば、連結部６００ｂの第１の取付部６１０を、発光部側基材部４００のうち第１の出射面２１２Ｂ側の領域であって、より光軸ＯＡ１ｃに近い領域に取り付けることができる。また、例えば、受光部側基材部５００のうち第２の入射面３１１Ｂ側の領域であって、より光軸ＯＡ２ａに近い領域に連結部６００ａの第２の取付部６２０を取り付けることができる。また同様に、受光部側基材部５００のうち第２の入射面３１１Ｂ側の領域であって、より光軸ＯＡ２ｃに近い領域に連結部６００ｂの第２の取付部６２０を取り付けることができる。
【０１４９】
このように、発光部側部材２００及び連結部６００ａ、６００ｂが実装される面積を発光部側基材部４００において小さくすることができる。また、受光部側部材３００及び連結部６００ａ、６００ｂが実装される面積を受光部側基材部５００において小さくすることができる。そのため、発光部側基材部４００及び受光部側基材部５００を小さくすることができる。また、発光部側基材部４００及び受光部側基材部５００にその他の電子部品を実装することができる。以上のように、光伝送装置１００Ｂは、各部品を高密度に実装することができる。
【０１５０】
また、本実施形態に記載の光伝送装置１００Ｂの間隙７００は所定の長さに設定されている。
【０１５１】
このように、間隙７００は所定の長さに設定されている為、第１の出射面２１２Ｂから第２の入射面３１１Ｂまでの距離の変化量を一定以下に抑えられる。そのため、光路長が大きく変動することがなくなるので、伝送される光の強度が変動することを抑制できる。この結果、光伝送装置１００Ｂは、伝送すべき光をより高い精度で伝送することができる。
【０１５２】
また、本実施形態に記載の光伝送装置１００Ｂは、発光部２３０及び受光部３３０を備える。発光部２３０は、第１の入射面２１１Ｂに向けて光を出射する。受光部３３０は、第２の出射面３１２Ｂから出射される光を受光する。
【０１５３】
また、本実施形態に記載の光伝送装置１００Ｂは、発光部２３０及び受光部３３０を備える。発光部２３０は、第１の入射面２１１Ｂに向けて光を出射する。受光部３３０は、第２の出射面３１２Ｂから出射される光を受光する。
【０１５４】
このように、光伝送装置１００Ｂは、発光部２３０及び受光部３３０を備えている。このため、光伝送装置１００Ｂは、発光部２３０より出射された光を第１の導光部２１０Ｂ及び第２の導光部３１０Ｂを介して、受光部３３０により受光できる。
【０１５５】
以上、光伝送装置１００Ｂついて説明した。
【０１５６】
なお、光伝送装置１００Ｂの実装例は、光伝送装置１００と同様である。
（第３の実施形態）
第３の実施形態における光伝送装置１００Ｃの構成について、図２３〜２３に基づき説明する。図２３は、光伝送装置１００Ｃの構成を示す斜視図である。図２４は、光伝送装置１００Ｃの構成を示す上面図である。図２３及び図２４に示されるように、光伝送装置１００Ｃは、第１の導光部２１０、第２の導光部３１０、連結部６００を備えている。また、第１の導光部２１０と第２の導光部３１０の間には、間隙７００が形成されている。
【０１５７】
第１の導光部２１０は、第１の入射面２１１及び第１の出射面２１２を備えている。第２１０は、第１の入射面に２１１に入射した光を第１の出射面２１２から出射する。
【０１５８】
第２の導光部３１０は、第２の入射面３１１及び第２の出射面３１２を備えている。第２の導光部３１０は、第１の出射面２１２から出射された光を、第２の入射面３１１で受光する。第２の導光部３１０は、第２の入射面３１１で受光した光を第２の出射面３１２から出射する。
【０１５９】
連結部６００は、第１の出射面２１２及び第２の入射面３１１が対向するように、第１の導光部２１０及び第２の導光部３１０を連結する。連結部６００は、第１の出射面２１２及び第２の入射面３１１の間に間隙７００が設けられた状態で、第１の導光部２１０及び第２の導光部３１０の双方又は一方が移動できるように、第１の導光部２１０及び第２の導光部３１０を連結する。例えば、連結部６００は、連結部６００ａ及び連結部６００ｂに構成及び機能を備える。
【０１６０】
以上、光伝送装置１００Ｃの構成について説明した。
【０１６１】
次に、光伝送装置１００Ｃの動作について説明する。
【０１６２】
ここでは、第１の導光部２１０及び第２の導光部３１０の双方又は一方が移動する前と移動した後の各々について、光伝送装置１００Ｃの動作を説明する。
【０１６３】
まず、第１の導光部２１０及び第２の導光部３１０の双方又は一方が移動する前（初期設定時）の光伝送装置１００Ｃの動作を説明する。図２４は、第１の導光部２１０及び第２の導光部３１０の双方又は一方が移動する前（初期設定時）の光伝送装置１００Ｃを示す。図２４に示されるように、この場合、光伝送装置１００Ｃにおいて、第１の出射面２１２及び第２の入射面３１１が略全面で対向している。また、この場合、光伝送装置１００Ｃにおいて第１の出射面２１２及び第２の入射面３１１の間に間隙７００が設けられている。すなわち、第１の出射面２１２及び第２の入射面３１１が接触しない。
【０１６４】
次に、第１の導光部２１０及び第２の導光部３１０の双方又は一方が移動した後の、光伝送装置１００Ｃについて説明する。図２５は、第１の導光部２１０及び第２の導光部３１０の双方又は一方が移動した後の光伝送装置１００Ｃを示す。この場合、光伝送装置１００Ｃにおいて、第１の出射面２１２及び第２の入射面３１１の少なくとも一部が対向している。また、この場合、光伝送装置１００Ｃにおいて第１の出射面２１２及び第２の入射面３１１の間に間隙７００が設けられている。すなわち、第１の出射面２１２及び第２の入射面３１１が接触しない。
【０１６５】
第１の導光部２１０及び第２の導光部３１０の双方又は一方が移動する前と移動した後において、以下のような動作によって、光は伝送される。第１の入射面２１１に入射した光は、第１の導光部２１０を通って、第１の出射面２１２から出射される。第１の出射面２１２から出射された光は、第２の入射面３１１に入射する。第２の入射面３１１に入射した光は、第２の導光部３１０を通って、第２の出射面３１２から出射される。
【０１６６】
以上のように、本実施形態に記載の光伝送装置１００Ｃは、第１の導光部２１０、第２の導光部３１０及び連結部６００を備える。第１の導光部２１０は、第１の入射面２１１に入射した光を第１の出射面２１２から出射する。第２の導光部３１０は、第１の出射面２１２から出射された光を、第２の入射面３１１で受光し第２の出射面３１２から出射する。連結部６００は、第１の出射面２１２及び第２の入射面３１１が対向するように、第１の導光部２１０及び第２の導光部３１０を連結する。また、連結部６００は、第１の出射面２１２及び第２の入射面３１１の間に間隙７００が設けられた状態で、第１の導光部２１０及び第２の導光部３１０の双方又は一方が移動できるように、第１の導光部２１０及び第２の導光部３１０を連結する。
【０１６７】
このように、連結部６００は、第１の出射面２１２及び第２の入射面３１１の間に間隙７００が設けられた状態で、第１の導光部２１０及び第２の導光部３１０の双方又は一方が移動できるように、第１の導光部２１０及び第２の導光部３１０を連結する。なお、前述した通り、図２５に示されるような光伝送装置１００Ｃにおいても、第１の出射面２１２及び第２の入射面３１１の間に間隙７００が形成されている。すなわち、第１の導光部２１０及び第２の導光部３１０が、移動したとしても、第１の導光部２１０及び第２の導光部３１０の間には間隙７００が形成されている。このため、例えば振動が光伝送装置１００Ｃに加わり、第１の導光部２１０及び第２の導光部３１０が互いに最も近づいたとしても、互いに接触しない。このため、第１の導光部２１０及び第２の導光部３１０には、第１の導光部２１０及び第２の導光部３１０が接触することによる負荷が加わらない。したがって、光伝送装置１００Ｃは、第１の導光部２１０及び第２の導光部３１０が破損することがないので、第１の導光部２１０に入射した光をより確実に第２の導光部３１０へ伝送することができる。この結果、光伝送装置１００Ｃは、より安定的に光を伝送できる。
【０１６８】
以上、実施形態を参照して本願発明を説明したが、本願発明は上記実施形態に限定されるものではない。本願発明の構成や詳細には、本願発明のスコープ内で当業者が理解し得る様々な変更をすることができる。
【符号の説明】
【０１６９】
１００、１００Ａ、１００Ｂ、１００Ｃ  光伝送装置
２００、２００Ａ、２００Ｂ  発光部側部材
２１０、２１０Ａ、２１０Ｂ  第１の導光部
２１１、２１１Ａ、２１１Ｂ  第１の入射面
２１２、２１２Ａ、２１２Ｂ  第１の出射面
２２０、２２０Ａ、２２０Ｂ  発光部側カバー
２２１、２２１Ａ、２２１Ｂ  第１の開口面
２２２、２２２Ａ、２２２Ｂ  第２の開口面
２３０  発光部
３００、３００Ａ、３００Ｂ  受光部側部材
３１０、３１０Ａ、３１０Ｂ  第２の導光部
３１１、３１１Ａ、３１１Ｂ  第２の入射面
３１２、３１２Ａ、３１２Ｂ  第２の出射面
３２０、３２０Ａ、３２０Ｂ  受光部側カバー
３２１、３２１Ａ、３２１Ｂ  第３の開口面
３２２、３２２Ａ、３２２Ｂ  第４の開口面
３３０  受光部
４００  発光部側基材部
５００  受光部側基材部
６００、６００ａ、６００ｂ  連結部
６１０  第１の取付部
６１１  第１の収容部
６１２  第１の取付面
６１３  第１の接続開口部
６２０  第２の取付部
６２１  第２の収容部
６２２  第２の取付面
６２３  第２の接続開口部
６３０  接続部
６３１  第１の軸端部
６３２  第２の軸端部
６３３  接続基材部
７００  間隙
８００  筐体
８１０  上ケース部
８２０  下ケース部
８３０ａ、８３０ｂ  リブ
【図１】
2018054870.tif 000003
【図２】
2018054870.tif 000004
【図３】
2018054870.tif 000005
【図４】
2018054870.tif 000006
【図５】
2018054870.tif 000007
【図６】
2018054870.tif 000008
【図７】
2018054870.tif 000009
【図８】
2018054870.tif 000010
【図９】
2018054870.tif 000011
【図１０】
2018054870.tif 000012
【図１１】
2018054870.tif 000013
【図１２】
2018054870.tif 000014
【図１３】
2018054870.tif 000015
【図１４】
2018054870.tif 000016
【図１５】
2018054870.tif 000017
【図１６】
2018054870.tif 000018
【図１７】
2018054870.tif 000019
【図１８】
2018054870.tif 000020
【図１９】
2018054870.tif 000021
【図２０】
2018054870.tif 000022
【図２１】
2018054870.tif 000023
【図２２】
2018054870.tif 000024
【図２３】
2018054870.tif 000025
【図２４】
2018054870.tif 000026
【図２５】
2018054870.tif 000027